(57)【要約】      （修正有）【課題】間仕切パネルにおける枠部材の大きさを抑えることができる移動間仕切装置を提供する。【解決手段】天井に設けられる誘導路３に吊支部材９，９を介して吊支され、誘導路３に沿って移動可能な複数の間仕切パネル２，２，…を幅方向に連接させて空間を仕切る移動間仕切装置であって、間仕切パネル２は、少なくとも間隔をおいて対向配置される一対の透光パネル部材４，４と、吊支部材９，９と接続され一対の透光パネル部材４，４を保持する枠部材５と、を備え、一対の透光パネル部材４，４は、枠部材５の上部フレーム６および／または縦フレーム７，７により支持可能である。【選択図】図３
2019085705.tif 000002
【特許請求の範囲】
【請求項１】
天井に設けられる誘導路に吊支部材を介して吊支され、前記誘導路に沿って移動可能な複数の間仕切パネルを幅方向に連接させて空間を仕切る移動間仕切装置であって、
前記間仕切パネルは、少なくとも間隔をおいて対向配置される一対の透光パネル部材と、前記吊支部材と接続され前記一対の透光パネル部材を保持する枠部材と、を備え、
前記一対の透光パネル部材は、前記枠部材の上部フレームおよび／または縦フレームにより支持可能であることを特徴とする移動間仕切装置。
【請求項２】
前記一対の透光パネル部材は、前記縦フレームに対して固着されていることを特徴とする請求項１に記載の移動間仕切装置。
【請求項３】
前記固着は、両面テープによる固着であることを特徴とする請求項２に記載の移動間仕切装置。
【請求項４】
前記縦フレームは、縦方向の強度の高い芯部材と、前記芯部材を被覆する被覆部材と、を備えることを特徴とする請求項１ないし３のいずれかに記載の移動間仕切装置。
【請求項５】
前記縦フレームの下端部には、前記枠部材の下部フレームが固定され、
前記下部フレームは、前記透光パネル部材の下端部を保持する保持部を備えることを特徴とする請求項１ないし４のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような移動間仕切装置にあっては、連接される間仕切パネルにより室内が天井から床面に亘って仕切られ閉塞感を与えることがあるため、間仕切パネルを構成するパネル材に透光パネルを用いて室内空間に開放感を演出するものが知られている（特許文献１参照）。
【０００３】
特許文献１の可動式間仕切りシステム（移動間仕切装置）は、天井に設けられた軌道台と、軌道台に摺動自在に組み付けられる摺動台と、該摺動台に保持手段を介して取り付けられる複数のドア部（間仕切パネル）と、から主に構成され、ドア部は、透光性を有するガラス板と、該ガラス板を取り囲むいわゆる四方枠形状のアルミフレーム（枠部材）と、から構成されることにより、連接されるドア部により部屋を天井から床面に亘って仕切ることができるようになっている。
【先行技術文献】
【特許文献】
【０００４】
【特許文献１】特開２００３−１８４４１０号公報（第６頁、第７図）
【発明の概要】
【発明が解決しようとする課題】
【０００５】
しかしながら、特許文献１にあっては、ドア部は、四方枠形状のアルミフレームに嵌め込まれるガラス板の荷重をアルミフレームを構成する下部フレームが支持する構造となっており、アルミフレームは、ガラス板の荷重に耐えられる接合強度を確保するためにアルミフレームを構成する下部フレームや縦フレームが大きくなっており、ドア部におけるアルミフレームの厚み等が大きくなってしまい、ガラス板を取り囲むアルミフレームのドア部表面側の面積が相対的に大きくなり、アルミフレームが強調されてしまい室内空間の開放感を十分に演出できないという問題がある。
【０００６】
本発明は、このような問題点に着目してなされたもので、間仕切パネルにおける枠部材の大きさを抑えることができる移動間仕切装置を提供することを目的とする。
【課題を解決するための手段】
【０００７】
前記課題を解決するために、本発明の移動間仕切装置は、
天井に設けられる誘導路に吊支部材を介して吊支され、前記誘導路に沿って移動可能な複数の間仕切パネルを幅方向に連接させて空間を仕切る移動間仕切装置であって、
前記間仕切パネルは、少なくとも間隔をおいて対向配置される一対の透光パネル部材と、前記吊支部材と接続され前記一対の透光パネル部材を保持する枠部材と、を備え、
前記一対の透光パネル部材は、前記枠部材の上部フレームおよび／または縦フレームにより支持可能であることを特徴としている。
この特徴によれば、枠部材により保持される一対の透光パネル部材の落下する方向への荷重が少なくとも枠部材の上部フレームおよび／または縦フレーム（上部フレームおよび縦フレームのいずれか一方）により支持され、一対の透光パネル部材の荷重を吊支部材に作用させることができるため、間仕切パネルにおける枠部材の大きさを抑えることができる。
【０００８】
前記一対の透光パネル部材は、前記縦フレームに対して固着されていることを特徴としている。
この特徴によれば、一対の透光パネル部材が枠部材の縦フレームに対して固着されることにより、間仕切パネルにおける高さ方向に透光パネル部材と縦フレームとの支持面を大きく確保できるため、縦フレームによる透光パネル部材の支持強度を高めることができる。
【０００９】
前記固着は、両面テープによる固着であることを特徴としている。
この特徴によれば、一対の透光パネル部材が枠部材の縦フレームに対して両面テープにより固着されることにより、透光パネル部材および縦フレームの支持構造を簡素に構成することができる。
【００１０】
前記縦フレームは、縦方向の強度の高い芯部材と、前記芯部材を被覆する被覆部材と、を備えることを特徴としている。
この特徴によれば、芯部材により縦フレームの縦方向の強度を確保することにより、芯部材を被覆する被覆部材を薄く構成することができるため、縦フレームを小さく構成することができる。
【００１１】
前記縦フレームの下端部には、前記枠部材の下部フレームが固定され、
前記下部フレームは、前記透光パネル部材の下端部を保持する保持部を備えることを特徴としている。
この特徴によれば、縦フレームの下端部に固定される下部フレームの保持部が透光パネル部材の下端部を保持することにより、縦フレームからの透光パネル部材の脱落を防止することができる。
【図面の簡単な説明】
【００１２】
【図１】本発明の実施例における移動間仕切装置を示す正面図である。
【図２】（ａ）は、実施例における間仕切パネルの構造を示す斜視図であり、（ｂ）は同じく間仕切パネルの構造を示す分解斜視図である。
【図３】実施例における移動間仕切装置の構造を示す側面視における断面図である。
【図４】実施例における間仕切パネルの上部閉塞部材および下部閉塞部材が進出した状態を示す側面視における断面図である。
【図５】実施例における上部フレームと縦フレームとの連結構造を示す正面視における一部断面図である。
【図６】実施例における上部フレームと縦フレームとの連結構造を示す上面図である。
【図７】実施例における隣接する間仕切パネルを連接させた状態を示す上面視における断面図である。
【図８】実施例における上部フレームと縦フレームとの連結構造を拡大して示した分解斜視図である。
【発明を実施するための形態】
【００１３】
本発明に係る移動間仕切装置を実施するための形態を実施例に基づいて以下に説明する。
【実施例】
【００１４】
実施例に係る移動間仕切装置につき、図１から図８を参照して説明する。以下、図１の紙面手前側および図３の紙面右側を移動間仕切装置の正面側（前方側）とし、その前方側から見たときの上下左右方向を基準として説明する。
【００１５】
本実施例の移動間仕切装置１は、例えば、オフィス、会議室、ショールーム、店舗等の建物内の室内を所定の区画に仕切るために設置され、図１に示されるように、室内空間の天井Ｃに設けられるレール３（誘導路）に沿って移動可能な一対の吊支部材９，９により上端が吊支される複数の間仕切パネル２，２，…から主に構成され、間仕切パネル２，２，…をレール３に沿って所定の位置まで手動で順次移動させることによって、間仕切パネル２，２，…を左右方向（幅方向）に一列に連接させて天井Ｃから床面Ｆに亘って室内空間を仕切ることができるようになっている。尚、間仕切パネル２を移動可能とするレール３および吊支部材９は、よく知られた構成であるため、詳しい説明を省略する。
【００１６】
図２（ａ）および図２（ｂ）に示されるように、間仕切パネル２は、前後に間隔をおいて対向配置される一対のガラスパネル４，４（透光パネル部材）と、ガラスパネル４，４を一体に保持する枠部材５（上部フレーム６、縦フレーム７，７および下部フレーム８）と、から主に構成される二重ガラスパネル構造を成し、パネル材として透明のガラスパネル４が使用されることにより、間仕切パネル２によって仕切られる室内空間の開放感を演出することができるとともに、強度や遮音性に優れている。尚、一対のガラスパネル４，４は、略同一構成であるため、間仕切パネル２の前方側に取付けられるガラスパネル４について説明し、後方側に取付けられるガラスパネル４についての説明を省略する。
【００１７】
図３に示されるように、ガラスパネル４は、２枚の透明な板ガラス４１，４１を重合して強化することにより合わせガラスとしたパネル本体４０と、該パネル本体４０の上下端に図示しない両面テープあるいはホットメルト接着剤によりそれぞれ固着された側面視コ字状の上部縁材４２および下部縁材４３と、から構成されている。また、間仕切パネル２の表面側に配置される一方の板ガラス４１は、左右の側端縁が大きく面取り加工されることによりテーパ面４１ａが形成されている（図７参照）。尚、パネル本体４０としては、透明度の高いポリカーボネートやアクリル樹脂製のパネル材が使用されてもよい。
【００１８】
また、上部縁材４２および下部縁材４３は、アルミ合金製の押出成形品であり、パネル本体４０の上下縁部を左右方向に亘って被覆することにより保護している。
【００１９】
次いで、枠部材５の構造について説明する。図２（ａ）および図２（ｂ）に示されるように、枠部材５は、ガラスパネル４，４の上端部に取り付けられる上部フレーム６と、ガラスパネル４，４の対向面４ａ，４ａ間に配置され（図３および図７参照）、上部フレーム６の左右両端部と上端部をそれぞれ固定される一対の縦フレーム７，７と、ガラスパネル４，４の下端部に取り付けられ、左右両端部を一対の縦フレーム７，７の下端部とそれぞれ固定される下部フレーム８と、から主に構成され、一対のガラスパネル４，４の上下左右端に沿って配置される、いわゆる四方枠形状を成している。
【００２０】
尚、本実施例において、上部フレーム６および下部フレーム８には、左端部が左方に突出した状態で上部閉塞部材６２および下部閉塞部材８２がそれぞれ収納されている。上部閉塞部材６２および下部閉塞部材８２は、隣接する間仕切パネル２，２を左右方向に連接させる際に、一方の間仕切パネル２の側端部を他方の間仕切パネル２の対向する側端部に当接させることにより、上部フレーム６および下部フレーム８の内部（右方）に向けて押し込まれるとともに、上部フレーム６および下部フレーム８から上下方向にそれぞれ進出し、間仕切パネル２の上端とレール３の下面３ａとの隙間および間仕切パネル２の下端と床面Ｆとの隙間を閉塞できるようになっている（図１および図４参照）。尚、上部閉塞部材６２および下部閉塞部材８２と、上部フレーム６および下部フレーム８から上部閉塞部材６２および下部閉塞部材８２を上下方向に進出させるための図示しない進出機構は、よく知られた構成であるため、詳しい説明を省略する。
【００２１】
次いで、枠部材５を構成する上部フレーム６について説明する。図２（ｂ）および図３〜図６に示されるように、上部フレーム６は、間仕切パネル２の左右方向に亘って延びる被覆部材６０と、左右に離間して設けられ被覆部材６０により被覆される一対の芯部材６１，６１と、から主に構成されている。
【００２２】
上部フレーム６を構成する被覆部材６０について説明する。図３に示されるように、被覆部材６０は、芯部材６１および上部閉塞部材６２が収納される収納部６３と、収納部６３の前後に形成され一対のガラスパネル４，４の上端部をそれぞれ保持する前方保持部６４および後方保持部６５と、が形成されている。また、被覆部材６０は、アルミ合金製の押出成形品であり、左右両端の後述する基部板６３ａ（図５参照）がそれぞれ左右両端から左右方向に所定範囲切り欠かれた切欠部６０ａ，６０ｂが形成されることにより、上面視Ｈ字状を成している（図２（ｂ）および図６参照）。尚、前方保持部６４および後方保持部６５の構造は、略同一構成であるため、前方保持部６４の構造について説明し、後方保持部６５の構造についての説明を省略する。
【００２３】
収納部６３は、前後方向に延びる基部板６３ａと、基部板６３ａの前後端からそれぞれ上方に向けて延びる起立板６４ａ，６５ａの３つの板部から構成される側面視上向きコ字状構造の上向き開放部分のことであり、側面視下向きコ字状の上部閉塞部材６２を下方から覆うように外嵌している。また、基部板６３ａの前後端近傍からは、一対の連結板６３ｂ，６３ｂがそれぞれ上方に向けて延びており、連結板６３ｂ，６３ｂの先端は、それぞれ間仕切パネル２の前後中央に向けて屈曲することにより、基部板６３ａと対向する保持部６３ｃ，６３ｃが形成されている。
【００２４】
前方保持部６４は、基部板６３ａの前端から上方に向けて延びる起立板６４ａと、起立板６４ａの上端から前方に向けて延びる上板６４ｂと、上板６４ｂの前端から下方に向けて延び起立板６４ａと対向する対向板６４ｃと、上板６４ｂよりも下方において起立板６４ａと対向板６４ｃとを連結する当接板６４ｄと、から構成され、前方保持部６４の下端側には、起立板６４ａと、当接板６４ｄと、対向板６４ｃの３つの板部から側面視下向きコ字状の上部挿入溝６６が形成されている。
【００２５】
上部挿入溝６６には、上部縁材４２が取り付けられたガラスパネル４の上端部が挿入可能となっており、上部挿入溝６６にガラスパネル４の上端部が挿入された状態において、上部挿入溝６６を構成する対向板６４ｃがガラスパネル４の表面に沿って下方に向けて所定距離延びることにより、間仕切パネル２の表面側へのガラスパネル４の移動を規制できるようになっている。また、前方保持部６４の上端側には、起立板６４ａと、上板６４ｂと、対向板６４ｃと、当接板６４ｄの４つの板部から側面視矩形状の構造が形成されることにより、被覆部材６０全体の構造強度が高められている。
【００２６】
次いで、上部フレーム６を構成する一対の芯部材６１，６１について説明する。尚、一対の芯部材６１，６１は、略同一構成であるため、上部フレーム６の右方側に配置される芯部材６１について説明し、左方側に配置される芯部材６１についての説明を省略する。
【００２７】
図３および図５に示されるように、芯部材６１は、側面視矩形状を成す鋼製の棒材であり、被覆部材６０の収納部６３において、基部板６３ａと、一対の連結板６３ｂ，６３ｂの３つの板部から側面視上向き略コ字状に形成される挿入部６７に基部６１ａが挿入された状態で、基部板６３ａと対向する連結板６３ｂ，６３ｂの保持部６３ｃ，６３ｃにより上方への抜け出しが防止されている。また、図５および図６に示されるように、芯部材６１は、被覆部材６０の挿入部６７に基部６１ａが挿入された状態で、基部６１ａの上面側に設けられるネジ孔６１ｂ，６１ｂに対して上方からワッシャ１１，１１を介して固定ネジ１０，１０によってネジ止めされることにより、基部６１ａの上面と固定ネジ１０，１０の頭部およびワッシャ１１，１１との間に被覆部材６０の連結板６３ｂ，６３ｂの保持部６３ｃ，６３ｃが挟み込まれ、被覆部材６０と芯部材６１とが左右方向に相対移動しないように一体に固定されている。尚、説明の便宜上、図５においては、被覆部材６０の収納部６３に収納される上部閉塞部材６２の図示を省略し、図６においては、被覆部材６０の収納部６３に収納される上部閉塞部材６２と、吊支部材９、固定ネジ１０，１０およびワッシャ１１，１１の図示を省略している。また、図５は、上部フレーム６を芯部材６１の手前側の位置で切った断面として図示している。
【００２８】
また、基部６１ａの上面側の長手方向略中央には、上方に向けて延びる円筒形状の連結部６１ｃが設けられ、連結部６１ｃには、間仕切パネル２を吊支する吊支部材９から延びる支持軸９０の下端部が挿入された状態で接続されている（図３〜図５参照）。尚、芯部材６１は、被覆部材６０の挿入部６７に基部６１ａが挿入されることにより、吊支部材９から延びる支持軸９０に接続される連結部６１ｃを軸とする前後の回動やねじれが規制されている。さらに、被覆部材６０の連結板６３ｂ，６３ｂの保持部６３ｃ，６３ｃは、切欠部６０ａ側が左右方向に所定範囲切り欠かれることにより、被覆部材６０の挿入部６７に対する基部６１ａの挿入を連結部６１ｃが邪魔することがなくなるとともに、連結部６１ｃを被覆部材６０の保持部６３ｃ，６３ｃに当接させることにより、被覆部材６０の挿入部６７に対する芯部材６１の位置決めを容易に行うことができる。
【００２９】
次いで、枠部材５を構成する下部フレーム８について説明する。図２〜図４に示されるように、下部フレーム８は、間仕切パネル２の左右方向に亘って延びる被覆部材８０から構成されている。
【００３０】
図３に示されるように、被覆部材８０は、下部閉塞部材８２が収納される収納部８３と、収納部８３の前後に形成され一対のガラスパネル４，４の下端部をそれぞれ保持する前方保持部８４および後方保持部８５（保持部）と、が形成されている。また、被覆部材８０は、アルミ合金製の押出成形品であり、左右両端の後述する基部板８３ａがそれぞれ左右両端から左右方向に所定範囲切り欠かれた切欠部８０ａ，８０ｂが形成されることにより、上面視Ｈ字状を成している（図２（ｂ）参照）。尚、前方保持部８４および後方保持部８５の構造は、略同一構成であるため、前方保持部８４の構造について説明し、後方保持部８５の構造についての説明を省略する。
【００３１】
収納部８３は、前後方向に延びる基部板８３ａと、基部板８３ａの前後端からそれぞれ下方に向けて延びる垂下板８４ａ，８５ａの３つの板部から構成される側面視上向きコ字状構造の下向き開放部分のことであり、側面視上向きコ字状の下部閉塞部材８２を上方から覆うように外嵌している。また、基部板８３ａの前後端近傍からは、一対の連結板８３ｂ，８３ｂがそれぞれ下方に向けて延びており、連結板８３ｂ，８３ｂの先端は、それぞれ間仕切パネル２の前後中央に向けて屈曲している。
【００３２】
前方保持部８４は、基部板８３ａの前端から下方に向けて延びる垂下板８４ａと、垂下板８４ａの下端から前方に向けて延びる下板８４ｂと、下板８４ｂの前端から上方に向けて延び垂下板８４ａと対向する対向板８４ｃと、下板８４ｂよりも上方において垂下板８４ａと対向板８４ｃとを連結する当接板８４ｄと、から構成され、前方保持部８４の上端側には、垂下板８４ａと、当接板８４ｄと、対向板８４ｃの３つの板部から側面視上向きコ字状の下部挿入溝８６が形成されている。
【００３３】
下部挿入溝８６には、下部縁材４３が取り付けられたガラスパネル４の下端部が挿入可能となっており、下部挿入溝８６にガラスパネル４の下端が挿入された状態において、下部挿入溝８６を構成する対向板８４ｃがガラスパネル４の表面に沿って上方に向けて所定距離延びることにより、間仕切パネル２の表面側へのガラスパネル４の移動を規制できるようになっている。また、前方保持部８４の下端側には、垂下板８４ａと、下板８４ｂと、対向板８４ｃと、当接板８４ｄの４つの板部から側面視矩形状の構造が形成されることにより、被覆部材８０全体の構造強度が高められている。
【００３４】
上述したように、下部フレーム８の被覆部材８０は、前述した上部フレーム６の被覆部材６０を上下にひっくり返した構造であり、上部フレーム６の被覆部材６０と下部フレーム８の被覆部材８０を同一部材により構成することができる。
【００３５】
次いで、枠部材５を構成する一対の縦フレーム７，７について説明する。尚、枠部材５を構成する一対の縦フレーム７，７は、略同一構成であるため、間仕切パネル２の一方（右方）の側端部に設けられる縦フレーム７（図７の紙面左側の縦フレーム７）について説明し、間仕切パネル２の他方（左方）の側端部に設けられる縦フレーム７についての説明を省略する。
【００３６】
図２（ｂ）および図３〜図７に示されるように、縦フレーム７は、間仕切パネル２の上下方向に延びる被覆部材７０と、間仕切パネル２の上下方向に延び被覆部材７０により被覆される芯部材７１と、から主に構成されている。尚、図７においては、紙面下側を移動間仕切装置の正面側（前方側）とし、その前方側から見たときの上下左右方向を基準として説明する。
【００３７】
縦フレーム７を構成する被覆部材７０について説明する。図７に示されるように、被覆部材７０は、アルミ合金製の押出成形品であり、芯部材７１が収納される収納部７２と、収納部７２の前後に形成され一対のガラスパネル４，４をそれぞれ支持する前方支持部７３および後方支持部７４と、が形成されている。尚、前方支持部７３および後方支持部７４は、略同一構成であるため、前方支持部７３について説明し、後方支持部７４についての説明を省略する。
【００３８】
収納部７２は、前後方向に延びる基部板７２ａと、基部板７２ａの前後端からそれぞれ右方に向けて延びる支持板７３ａ，７４ａと、支持板７３ａ，７４ａの左右略中央から間仕切パネル２の前後中央に向けてそれぞれ延び基部板７２ａと対向する対向板７２ｂ，７２ｂの５つの板部から構成される上面視略Ｃ字状構造の横向き開放部分のことであり、芯部材７１を覆うように外嵌している。また、対向板７２ｂ，７２ｂの前後端近傍からは、係止板７２ｃ，７２ｃがそれぞれ右方に向けて延びており、係止板７２ｃ，７２ｃの先端は、それぞれ間仕切パネル２の表面側に向けて鉤状に屈曲している。
【００３９】
前方支持部７３は、支持板７３ａの間仕切パネル２の表面側に形成されガラスパネル４の対向面４ａの側端縁に沿って上下方向に延びる支持面７３ｂを備え、支持面７３ｂの上下方向に亘って形成される略矩形状の溝部７３ｃ，７３ｃには、溝部７３ｃ，７３ｃの上下方向の寸法と略同一に構成される２条の両面テープ７５，７５がそれぞれ接着されている。
【００４０】
図７に示されるように、被覆部材７０は、前方支持部７３の支持面７３ｂおよび後方支持部７４の支持面７４ｂを一対のガラスパネル４，４の対向面４ａ，４ａの側縁部にそれぞれ当接させることにより、間仕切パネル２におけるガラスパネル４，４の前後方向の間隔を保持するスペーサとして機能するとともに、前方支持部７３の支持面７３ｂおよび後方支持部７４の支持面７４ｂにそれぞれ接着される各２条の両面テープ７５，７５によって一対のガラスパネル４，４の対向面４ａ，４ａの両側縁部をそれぞれ固着することにより、ガラスパネル４，４を支持できるようになっている。
【００４１】
次いで、縦フレーム７を構成する芯部材７１について説明する。図２（ｂ）および図３〜図７に示されるように、芯部材７１は、間仕切パネル２の左右方向に厚みを有する鋼製の板材であり、被覆部材７０の収納部７２に基部７１ａが挿入された状態で、被覆部材７０の基部板７２ａと対向する対向板７２ｂ，７２ｂにより右方への抜け出しが防止されている。また、芯部材７１は、被覆部材７０の収納部７２に基部７１ａが挿入された状態で、基部７１ａの前後端近傍に設けられるネジ孔７１ｄ，７１ｄに対して右方から固定ネジ１２，１２によってネジ止めされることにより、基部７１ａの右方側の面と固定ネジ１２，１２の頭部との間に被覆部材７０の対向板７２ｂ，７２ｂの先端部分が挟み込まれ、被覆部材７０と芯部材７１とが上下方向に相対移動しないように一体に固定されている。
【００４２】
また、芯部材７１は、基部７１ａの上下端から基部７１ａよりも前後方向（幅方向）の寸法が小さく構成される連結部７１ｂ，７１ｃ（図３および図８参照）がそれぞれ上下方向に向けて延出しており、連結部７１ｂ，７１ｃの延出分だけ被覆部材７０よりも上下方向に長尺に構成され、被覆部材７０により基部７１ａが上下方向に亘って被覆された状態で、連結部７１ｂ，７１ｃが被覆部材７０の上下の開口部分から露出するようになっている。さらに、芯部材７１には、基部７１ａと連結部７１ｂとの前後方向の寸法差により基部７１ａの上端に相当する肩部７１ｅ，７１ｅ（図８参照）が形成されており、芯部材７１に被覆部材７０が固定され被覆部材７０により基部７１ａが上下方向に亘って被覆された状態で、肩部７１ｅ，７１ｅの上下方向の位置が被覆部材７０の上端に揃えられている。
【００４３】
また、図７に示されるように、間仕切パネル２の右方側の側端部に設けられる縦フレーム７には、凹部７６ａを有する側部カバー部材７６が取り付けられ、間仕切パネル２の左方側の側端部に設けられる縦フレーム７には、凸部７７ａを有する側部カバー部材７７が取り付けられている。側部カバー部材７６，７７は、アルミ合金製の押出成形品であり、縦フレーム７の被覆部材７０と上下方向の寸法が略同一に構成され（図２参照）、前述した縦フレーム７を構成する被覆部材７０の係止板７２ｃ，７２ｃに対してそれぞれ係止された状態で縦フレーム７を構成する芯部材７１に対して固定ネジ１５によりネジ止めされることにより固定されている。また、側部カバー部材７６，７７は、縦フレーム７，７に対してそれぞれ取り付けられた状態において、凹部７６ａおよび凸部７７ａの前後端からそれぞれ前後方向に延びる被覆板７６ｂ，７６ｂおよび被覆板７７ｂ，７７ｂにより、一対のガラスパネル４，４の両側端面を保護できるようになっている。尚、被覆板７６ｂ，７６ｂおよび被覆板７７ｂ，７７ｂの前後の先端部は、ガラスパネル４，４の左右両側端に形成される前述したテーパ面４１ａ，４１ａに沿った形状に構成されることにより、間仕切パネル２の表面側へのガラスパネル４，４の移動をそれぞれ規制できるようになっている。
【００４４】
尚、本実施例において、隣接する間仕切パネル２，２を左右方向に連接させる際に、一方の間仕切パネル２の側端部を他方の間仕切パネル２の対向する側端部に当接させることにより、側部カバー部材７６の凹部７６ａと側部カバー部材７７の凸部７７ａとが凹凸嵌合するとともに、側部カバー部材７７の凸部７７ａが側部カバー部材７６の凹部７６ａの内面に設けられる一対のゴム製の舌片７６ｃ，７６ｃに圧接されることにより、隣接する間仕切パネル２，２間における密閉性および遮音性が高められている。
【００４５】
次いで、上部フレーム６と間仕切パネル２の右方側の側端部に設けられる縦フレーム７との連結構造および連結手順について説明する。図８に示されるように、先ず、上部フレーム６の被覆部材６０の挿入部６７に対して右方から芯部材６１を挿入して位置決めし、縦フレーム７の芯部材７１の上端側の連結部７１ｂを上部フレーム６の被覆部材６０の右端側に形成される切欠部６０ａに対して挿入する。このとき、縦フレーム７の芯部材７１の肩部７１ｅ，７１ｅおよび縦フレーム７の被覆部材７０の上端を、上部フレーム６の被覆部材６０の基部板６３ａ（図５参照）の下面に当接させるとともに、縦フレーム７の芯部材７１の連結部７１ｂの左方側の面を、上部フレーム６の芯部材６１の右方側の端面および上部フレーム６の被覆部材６０の一対の連結板６３ｂ，６３ｂの右方側の端面に当接させることにより、上部フレーム６と縦フレーム７との位置決めが行われる。次に、縦フレーム７の芯部材７１の連結部７１ｂの前後端近傍を左右方向に貫通する一対の貫通孔７１ｆ，７１ｆに対して右方からボルト１３，１３を挿入し、上部フレーム６の被覆部材６０の連結板６３ｂ，６３ｂにそれぞれ形成されるネジ孔６３ｄ，６３ｄに対してネジ止めして固定する。その後、縦フレーム７の芯部材７１の連結部７１ｂの前後略中央を左右方向に貫通する貫通孔７１ｇに対して右方から凹状の介在部材７８を介してボルト１４を挿入し、上部フレーム６の芯部材６１の基部６１ａに形成されるネジ孔６１ｄに対してネジ止めして固定することより、上部フレーム６と縦フレーム７とが連結される。尚、凹状の介在部材７８は、隣接する間仕切パネル２の上部閉塞部材６２の左端に形成される凸部６２ａ（図１および図２（ａ）参照）と凹凸嵌合可能となっている。
【００４６】
また、上部フレーム６と間仕切パネル２の左方側の側端部に設けられる縦フレーム７との連結手順および連結構造は、上述した凹状の介在部材７８の代わりに平板状の介在部材７９が使用されること以外は略同一構成であるため、詳しい説明を省略する。
【００４７】
このように、枠部材５を構成する上部フレーム６および縦フレーム７の連結構造においては、被覆部材６０，７０の内部に剛性の高い鋼製の芯部材６１，７１がＬ字状に連結されることにより、芯部材６１，７１により上部フレーム６と縦フレーム７における構造強度が確保される。
【００４８】
また、下部フレーム８と間仕切パネル２の両側端部に設けられる縦フレーム７，７との連結については、図２（ｂ）に示されるように、縦フレーム７，７の芯部材７１，７１の下端側の連結部７１ｃ，７１ｃを下部フレーム８の被覆部材８０の左右両端側に形成される切欠部８０ａ，８０ｂに対して挿入し、縦フレーム７の芯部材７１，７１の連結部７１ｃ，７１ｃの前後端近傍を左右方向に貫通する一対の貫通孔に対して左右方向からボルトを挿入し、下部フレーム８の被覆部材８０の一対の連結板８３ｂ，８３ｂにそれぞれ形成されるネジ孔８３ｄ，８３ｄ（図３参照）に対してネジ止めして固定することにより行われる。
【００４９】
以上説明したように、本実施例の間仕切パネル２は、一対のガラスパネル４，４を保持する枠部材５を構成する上部フレーム６と一対の縦フレーム７，７の連結構造において、上部フレーム６の被覆部材６０および縦フレーム７，７の被覆部材７０，７０の内部で剛性の高い鋼製の上部フレーム６の芯部材６１，６１および縦フレーム７，７の芯部材７１，７１がそれぞれＬ字状に連結されるとともに、縦フレーム７，７の芯部材７１，７１にそれぞれ一体に固定される被覆部材７０，７０の前方支持部７３の支持面７３ｂおよび後方支持部７４の支持面７４ｂに対して各２条の両面テープ７５，７５によって一対のガラスパネル４，４の対向面４ａ，４ａの両側縁部がそれぞれ固着されることにより、ガラスパネル４，４を支持されているため、一対のガラスパネル４，４の落下する方向への荷重を一対の縦フレーム７，７により支持することができる。さらに、上部フレーム６の一対の芯部材６１，６１に間仕切パネル２を吊支する吊支部材９，９の支持軸９０，９０の下端部がそれぞれ接続されているため、一対のガラスパネル４，４の荷重を縦フレーム７，７の芯部材７１，７１から上部フレーム６の一対の芯部材６１，６１、さらに上部フレーム６の一対の芯部材６１，６１から吊支部材９，９の支持軸９０，９０に作用させることができる。
【００５０】
これによれば、縦フレーム７，７により一対のガラスパネル４，４が支持され、一対のガラスパネル４，４の荷重を縦フレーム７，７の芯部材７１，７１から上部フレーム６の一対の芯部材６１，６１、さらに上部フレーム６の一対の芯部材６１，６１から吊支部材９，９の支持軸９０，９０に作用させることにより、縦フレーム７，７の下端部と左右両端部が接続される下部フレーム８（被覆部材８０）が一対のガラスパネル４，４の荷重を支持する必要がなくなり、下部フレーム８を構成する被覆部材８０に必要な構造強度を小さくすることができるため、下部フレーム８を小さく構成することができる。
【００５１】
また、縦フレーム７，７において、芯部材７１，７１を鋼製等の剛性の高い素材により構成し、芯部材７１，７１を薄く構成したアルミ合金製の被覆部材７０，７０で被覆することにより、縦フレーム７，７全体を小さく構成しつつ、芯部材７１，７１により縦フレーム７，７の縦方向の強度を確保できる。
【００５２】
また、上部フレーム６においても、一対の芯部材６１，６１を鋼製等の剛性の高い素材により構成し、芯部材６１，６１を薄く構成したアルミ合金製の被覆部材６０で被覆することにより、上部フレーム６全体を小さく構成しつつ、芯部材６１，６１により上部フレーム６の構造強度を確保できる。
【００５３】
また、上部フレーム６を構成する芯部材６１，６１に間仕切パネル２を吊支する吊支部材９，９が接続されることにより、芯部材６１，６１を被覆する被覆部材６０に必要な構造強度を小さくすることができるため、被覆部材６０を薄く構成できる。
【００５４】
このように、枠部材５が上部フレーム６、一対の縦フレーム７，７および下部フレーム８が一体に連結された四方枠形状として構成されることにより、枠部材５の構造強度を確保しながら、間仕切パネル２における枠部材５の大きさを抑えることができるため、ガラスパネル４，４の領域が相対的に大きくなり室内空間に開放感を演出することができる。
【００５５】
また、一対のガラスパネル４，４は、一対の縦フレーム７，７の被覆部材７０，７０の前方支持部７３の支持面７３ｂおよび後方支持部７４の支持面７４ｂに対して各２条の両面テープ７５，７５により固着されることにより、間仕切パネル２における高さ方向にガラスパネル４，４と縦フレーム７，７との支持面を大きく確保して支持強度を高めることができる。さらに、一対の縦フレーム７，７に対する一対のガラスパネル４，４の支持に両面テープ７５，７５を用いることにより、ガラスパネル４，４および縦フレーム７，７に固定構造を別途設ける必要がなくなるとともに、ガラスパネル４，４と縦フレーム７，７との支持面の見栄えを良くして間仕切パネル２の美観を高めることができる。
【００５６】
また、上部フレーム６を構成する芯部材６１，６１を左右に分割することにより、上部フレーム６を構成する芯部材を上部フレーム６の左右方向に亘って設けた場合に比べて、間仕切パネル２の重量を軽くすることができる。
【００５７】
また、一対の縦フレーム７，７において、芯部材７１，７１を鋼製等の剛性の高い素材により構成し、芯部材７１，７１を薄く構成したアルミ合金製の被覆部材７０，７０で被覆することにより、縦フレーム７，７を全て鋼材で形成した場合に比べて、アルミ合金製の被覆部材７０，７０により、縦フレーム７，７の重量の増加を抑えながら、縦フレーム７，７のガラスパネル４，４との支持面を大きく確保することができる。
【００５８】
また、上部フレーム６の被覆部材６０の前方保持部６４を構成する対向板６４ｃおよび下部フレーム８の被覆部材８０の前方保持部８４を構成する対向板８４ｃは、間仕切パネル２の前方側に保持されるガラスパネル４の間仕切パネル２の表面側への移動を規制することにより、縦フレーム７，７の被覆部材７０，７０の前方支持部７３，７３の支持面７３ｂ，７３ｂに２条の両面テープ７５，７５によって固着されて支持されるガラスパネル４の剥がれ落ちが防止されている。尚、間仕切パネル２の後方側に保持されるガラスパネル４も同様に剥がれ落ちが防止されている。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例では、枠部材５を構成する一対の縦フレーム７，７に対して一対のガラスパネル４，４がそれぞれ両面テープ７５，７５により固着されることにより、縦フレーム７，７がガラスパネル４，４を支持するものについて説明したが、これに限らず、ガラスパネル４，４は、縦フレーム７，７だけでなく、上部フレーム６に対しても両面テープにより固着されていてもよい。また、上部フレーム６および縦フレームに対するガラスパネル４，４の固着は、両面テープによるもの限らず、接着剤や粘着剤が使用されてもよい。
【００６１】
また、間仕切パネル２において、ガラスパネル４，４は、上部フレーム６および／または縦フレーム７，７に対して落下しないように支持されるものであれば、支持構造は自由に構成されてよく、例えば上部フレーム６および／または縦フレーム７，７に対してガラスパネル４，４が係止されるものや、ボルト等により固定されるものであってもよい。
【００６２】
また、間仕切パネル２を構成する枠部材５は、四方枠形状のものに限らず、縦フレーム７，７や下部フレーム８がないものであってもよい。
【００６３】
また、上部フレーム６を構成する芯部材６１，６１は、左右に分割されるものに限らず、間仕切パネル２の左右方向に亘って一体に構成されていてもよい。
【００６４】
また、上部フレーム６および縦フレーム７，７を構成する芯部材６１，７１は、鋼製のものに限らず、少なくとも被覆部材を構成する素材（アルミ合金等）よりも剛性の高い素材から構成されていればよい。さらに、被覆部材は、アルミ合金製以外の金属や木材および合成樹脂等から構成されていてもよい。
【００６５】
また、上部フレーム６は、芯部材６１をなくして被覆部材６０のみで構成されていてもよく、この場合、縦フレーム７の芯部材７１に吊支部材９が直結される。
【符号の説明】
【００６６】
１                移動間仕切装置
２                間仕切パネル
３                レール（誘導路）
４                ガラスパネル（透光パネル部材）
５                枠部材
６                上部フレーム
７                縦フレーム
８                下部フレーム
９                吊支部材
６０              被覆部材
６１              芯部材
６２              上部閉塞部材
６３              収納部
６４              前方保持部
６５              後方保持部
６６              上部挿入溝
６７              挿入部
７０              被覆部材
７１              芯部材
７２              収納部
７３              前方支持部
７４              後方支持部
７５              両面テープ
７６，７７        側部カバー部材
７６ａ            凹部
７７ａ            凸部
７８，７９        介在部材
８０              被覆部材
８２              下部閉塞部材
８３              収納部
８４              前方保持部（保持部）
８４ｃ            対向板
８５              後方保持部（保持部）
８６              下部挿入溝
９０              支持軸
【図１】
2019085705.tif 000003
【図２】
2019085705.tif 000004
【図３】
2019085705.tif 000005
【図４】
2019085705.tif 000006
【図５】
2019085705.tif 000007
【図６】
2019085705.tif 000008
【図７】
2019085705.tif 000009
【図８】
2019085705.tif 000010